(57)【要約】【課題】茶道の情緒を保ちつつ、何処ででも手軽に茶の湯を楽しめる茶道点前用立礼棚であって、普段はコンパクトな棚として利用でき、茶の湯を楽しむときには直ちに立礼棚に早変わりする茶道点前用立礼棚組合せ体を提供すること。【解決手段】一部に第１の開口部４を有する胴部５、胴部の上端側および下端側に設けた天板６および底板７とで、第１の開口部を出し入れ口とする第１の収容部８を形成してなる第１の立礼棚部材１と、一部に第２の開口部９を有する胴部１０、胴部の上端側および下端側に設けた天板１１および底板１２とで、第２の開口部を出し入れ口とする第２の収容部を形成し、第１の立礼棚部材における第１の収容部に対して収容可能な第２の立礼棚部材２と、第２の立礼棚部材における第２の収容部に対して収容可能な第３の立礼棚部材３との組合せ体でなることを特徴とする茶道点前用立礼棚組合せ体。【選択図】図１
0003103677.tif 000002
【実用新案登録請求の範囲】
【請求項１】
一部に第１の開口部を有する胴部と、前記胴部の上端側および下端側に設けた天板および底板とによって、前記第１の開口部を出し入れ口とする第１の収容部を形成してなる第１の立礼棚部材と、
一部に第２の開口部を有する胴部と、前記胴部の上端側および下端側に設けた天板および底板とによって、前記第２の開口部を出し入れ口とする第２の収容部を形成し、前記第１の立礼棚部材における第１の収容部に対して収容可能な第２の立礼棚部材と、
前記第２の立礼棚部材における第２の収容部に対して収容可能な第３の立礼棚部材との組合せ体でなることを特徴とする茶道点前用立礼棚組合せ体。
【請求項２】
前記第１の立礼棚部材が、点茶のための主立礼棚を構成し、前記第２の立礼棚部材が、炉部を備えた釜側用立礼棚を構成し、前記第３の立礼棚部材が、水差し等を載置する水屋側用立礼棚を構成するものであって、それぞれ分離した状態で配列可能であることを特徴とする請求項１に記載の茶道点前用立礼棚組合せ体。
【請求項３】
第２の立礼棚部材に対して、折り畳み式の棚体が着脱自在に取り付けられるようになっていることを特徴とする請求項１あるいは請求項２に記載の茶道点前用立礼棚組合せ体。
【請求項４】
前記第１あるいは第２の立礼棚部材に対して、柄杓掛けが着脱自在に取り付けられるようになっていることを特徴とする請求項１あるいは請求項２に記載の茶道点前用立礼棚組合せ体。
【請求項５】
前記第３の立礼棚部材が、胴部と、前記胴部の上端側および下端側に設けた天板および底板とからなり、内部に少なくとも一段の棚体を備えたものからなることを特徴とする請求項１あるいは請求項２に記載の茶道点前用立礼棚組合せ体。
【考案の詳細な説明】
【技術分野】
【０００１】
この考案は、茶道におけるお点前のための立礼棚に関するものであり、特に、茶道の情緒を保ちつつ、手軽に茶の湯を楽しむことができるように構成したものであって、お点前に必要な各構成部材をそれぞれ個別にデザインし、これらを入子式の立礼棚として構成し、普段はコンパクトな棚として利用することができる一方、茶の湯を楽しむときには、直ちに立礼棚に早変わりする斬新なアイデアと実用的なデザインでなる茶道点前用立礼棚組合せ体に関するものである。
【背景技術】
【０００２】
周知のように、従来伝統的な茶道は、炉が切られた畳の間において正座して行われるものであった。しかし、洋式建築の導入に基づく生活習慣の変移、正座の出来ない若い人あるいは欧米人の接客には、テーブルと椅子を用いた立礼式の茶席が設けられることがあり、立礼棚として開発され、利用されてきている。
【０００３】
従来の茶道点前用立礼棚は、例えば、特開平５−３３７０１１号公開公報および特開平７−３９４２５号公開公報に記載のある茶道用テーブルのように、一つの折り畳み式のテーブルによって構成されているもの、あるいは、特開平９−２８９９２５号公開公報に記載のある点茶装置のもののように、釜側棚部と水屋側棚部との間にテーブル板を組み合わせ、釜側棚部と水屋側棚部とを天秤棒により連結したもの、さらには、特開２０００−３２５１５２号公開公報に記載のある立礼卓のもののように、テーブルが拡張されるようなものとして提供されてきている。上記する従来の茶道点前用立礼棚は、各公報に記載のもののように、従来の伝統的な形態を踏襲しながら、簡易的な変更を加えた程度のものにすぎず、室内の新しい空間設計に対して十分に対応するものではなく、変化性あるいは興趣性の面においても従来の伝統的な範囲を越えるものではなかった。
【考案の開示】
【考案が解決しようとする課題】
【０００４】
そこで、この考案では、茶道の情緒を保ちつつ、何処ででも手軽に茶の湯を楽しむことができるように構成した茶道点前用立礼棚を供するものであって、とりわけ、お点前に必要な各構成部材をそれぞれ個別にデザインし、これらを入子式の立礼棚として構成し、普段はコンパクトな棚として利用することができる一方、茶の湯を楽しむときには、直ちに立礼棚に早変わりする斬新なアイデアと実用的なデザインでなる茶道点前用立礼棚組合せ体を提供するものである。
【課題を解決するための手段】
【０００５】
この考案は、上記する目的を達成するにあたって、具体的には、一部に第１の開口部を有する胴部、前記胴部の上端側および下端側に設けた天板および底板とによって、前記第１の開口部を出し入れ口とする第１の収容部を形成してなる第１の立礼棚部材と、一部に第２の開口部を有する胴部、前記胴部の上端側および下端側に設けた天板および底板とによって、前記第２の開口部を出し入れ口とする第２の収容部を形成し、前記第１の立礼棚部材における第１の収容部に対して収容可能な第２の立礼棚部材と、前記第２の立礼棚部材における第２の収容部に対して収容可能な第３の立礼棚部材との組合せ体でなることを特徴とする茶道点前用立礼棚組合せ体を構成するものである。
【０００６】
さらに、この考案において請求項２に記載の考案は、請求項１に記載の茶道点前用立礼棚組合せ体であって、前記第１の立礼棚部材が、点茶のための主立礼棚を構成し、前記第２の立礼棚部材が、炉部を備えた釜側用立礼棚を構成し、前記第３の立礼棚部材が、水差し等を載置する水屋側用立礼棚を構成するものであって、それぞれ分離した状態で配列可能であることを特徴とするものである。
【０００７】
さらに、この考案において請求項３に記載の考案は、請求項１あるいは請求項２に記載の茶道点前用立礼棚組合せ体であって、前記第２の立礼棚部材に対して、折り畳み式の棚体が着脱自在に取り付けられるようになっていることを特徴とするものである。
【０００８】
さらに、この考案において請求項４に記載の考案は、請求項１あるいは請求項２に記載の茶道点前用立礼棚組合せ体であって、前記第１あるいは第２の立礼棚部材に対して、柄杓掛けが着脱自在に取り付けられるようになっていることを特徴とするものである。
【０００９】
さらにまた、この考案において請求項５に記載の考案は、請求項１あるいは請求項２に記載の茶道点前用立礼棚組合せ体であって、前記第３の立礼棚部材が、胴部と、前記胴部の上端側および下端側に設けた天板および底板とからなり、内部に少なくとも一段の棚体を備えたものからなることを特徴とするものである。
【考案の効果】
【００１０】
この考案になる茶道点前用立礼棚組合せ体によれば、まず第１には、極めて簡潔な構造の構成部材の組み合わせにより構成されるものであって、多量生産に適合し、経済的にも極めて有利に作用するものであり、第２には、各構成部材が斬新なデザインによって構成されるものであり、茶道の情緒を保ちつつ、何処ででも手軽に茶の湯を楽しむことができるように構成してあり、お点前に必要な各構成部材をそれぞれ個別にデザインし、これらを入子式の立礼棚として構成してある点において、普段はコンパクトな棚として利用することができるとともに、茶の湯を楽しむときには、直ちに立礼棚に早変わりし、何処ででも立礼茶席をセットすることができるものであり、その点においても極めて有効に作用するものといえる。
【考案を実施するための最良の形態】
【００１１】
以下、この考案になる茶道点前用立礼棚組合せ体について、図面に示す具体的な実施例に基づいて詳細に説明する。図１は、この考案になる茶道点前用立礼棚組合せ体の一実施例を示すものであって、図１Ａは、各構成部材を分離して、茶席のために配列した使用状態を示す客席側から見た概略的な斜視図であり、図１Ｂは、各構成部材を入子式に組み合わせる中間手順の一態様を示す概略的な斜視図であり、図１Ｃは、各構成部材を入子式に組み合わせた状態であって、一つのテーブルとして使用する一態様を示す概略的な斜視図である。
【００１２】
一方、図２は、この考案になる茶道点前用立礼棚組合せ体のうち、点茶のための主立礼棚としての第１の立礼棚部材を示すものであって、図２Ａは、該第１の立礼棚部材の概略的な正面図、図２Ｂは、その平面図、図２Ｃは、その右側面図、図２Ｄは、その背面図、図２Ｅは、図２Ａにおける２Ｅ−２Ｅ線に沿って矢示方向に見た概略的な断面図である。図３は、この考案になる茶道点前用立礼棚組合せ体のうち、炉部を備えた釜側用立礼棚としての第２の立礼棚部材を示すものであって、図３Ａは、該第２の立礼棚部材の概略的な正面図、図３Ｂは、その平面図、図３Ｃは、その右側面図、図３Ｄは、その背面図、図３Ｅは、図３Ａにおける３Ｅ−３Ｅ線に沿って矢示方向に見た概略的な断面図である。図４は、この考案になる茶道点前用立礼棚組合せ体のうち、水差し等を載置する水屋側用立礼棚としての第３の立礼棚部材を示すものであって、図４Ａは、該第３の立礼棚部材の概略的な正面図、図４Ｂは、その平面図、図４Ｃは、その右側面図、図４Ｄは、その背面図、図４Ｅは、図４Ａにおける４Ｅ−４Ｅ線に沿って矢示方向に見た概略的な断面図である。
【００１３】
まず、この考案になる茶道点前用立礼棚組合せ体ＴＡは、例えば、図１各図に示すような形態のものとして形成される。図１Ａに示す茶道点前用立礼棚組合せ体ＴＡは、点茶のための主立礼棚としての第１の立礼棚部材１と、炉部を備えた釜側用立礼棚としての第２の立礼棚部材２と、水差し等を載置する水屋側用立礼棚としての第３の立礼棚部材３との組み合わせによって構成されている。
【００１４】
この考案において、前記第１の立礼棚部材１は、一部に第１の開口部４を有する胴部５と、前記胴部５の上端側５ａおよび下端側５ｂに設けた天板６および底板７とによって、前記第１の開口部４を出し入れ口とする第１の収容部８を形成するものからなっている。一方、前記第２の立礼棚部材２は、一部に第２の開口部９を有する胴部１０と、前記胴部１０の上端側１０ａおよび下端側１０ｂに設けた天板１１および底板１２とによって、前記第２の開口部９を出し入れ口とする第２の収容部１３を形成し、前記第１の立礼棚部材１における第１の収容部８に対し収容可能なものからなっている。さらにまた、前記第３の立礼棚部材３は、一部に第３の開口部１４を有する胴部１５と、前記胴部１５の上端側１５ａおよび下端側１５ｂに設けた天板１６および底板１７とによって、水屋収容部１８を形成するものからなっている。
【００１５】
この考案では、前記第１の立礼棚部材１が、点茶のための主立礼棚を構成するものであり、前記第２の立礼棚部材２が、炉部１９を備えた釜側用立礼棚を構成するものであり、前記第３の立礼棚部材３が、水差し等を載置する水屋側用立礼棚を構成するものであって、図１Ａに示すように、それぞれ分離した状態で配列可能であり、その配列パターンは、設置空間に応じて自由に変更することができるものからなっている。
【００１６】
さらに詳細には、この考案になる茶道点前用立礼棚組合せ体ＴＡにおいて、前記第２の立礼棚部材２に対して、折り畳み式の棚体２０が着脱自在に取り付けられるようになっている。前記第２の立礼棚部材２における胴部１０の内壁面に、前記折り畳み式の棚体２０を支受する支受片２１、２１が設けてある。一方、前記折り畳み式の棚体２０は、折り畳んだ状態で、前記第１の立礼棚部材１における胴部５の内壁面に設けてある差込片２２、２２に差し込まれ、収納されるようになっている。
【００１７】
さらに、この考案になる茶道点前用立礼棚組合せ体ＴＡにおいて、前記第１の立礼棚部材１あるいは第２の立礼棚部材２に対して、柄杓掛け２３が着脱自在に取り付けられるようになっている。
【００１８】
さらにまた、この考案になる茶道点前用立礼棚組合せ体ＴＡにおいて、前記第３の立礼棚部材３は、胴部１５と、前記胴部１５の上端側１５ａおよび下端側１５ｂに設けた天板１６および底板１７とによって形成される水屋収容部１８の内部に少なくとも一段の棚体２４を備えたものからなっている。
【００１９】
この考案になる茶道点前用立礼棚組合せ体ＴＡにあって、図１各図〜図４各図に示す具体的な実施例は、飽くまでも、その一実施例を示すものであって、テーブルの平面視形状が三角形形状である点に関して、何らこれに限定されるものではない。即ち、この考案になる茶道点前用立礼棚組合せ体ＴＡにおいて、テーブルの平面視形状並びに胴部の横断面形状は、円形であってもよいし、楕円形であってもよいし、あるいは多角形形状の者であってもよい。
【産業上の利用可能性】
【００２０】
この考案になる茶道点前用立礼棚組合せ体ＴＡは、各構成部材１、２、３をそれぞれ分離した状態において、茶道点前用立礼棚として構成することができる点はもとより、それぞれの各構成部材１、２、３を入子式に収納した状態において、内部に茶道具を収納した状態で、一つのテーブル様室内家具としての利用に対して適合するものでもある。
【図面の簡単な説明】
【００２１】
【図１】図１は、この考案になる茶道点前用立礼棚組合せ体の一実施例を示すものであって、図１Ａは、各構成部材を分離して、茶席のために配列した使用状態を示す客席側から見た概略的な斜視図であり、図１Ｂは、各構成部材を入子式に組み合わせる中間手順の一態様を示す概略的な斜視図であり、図１Ｃは、各構成部材を入子式に組み合わせた状態であって、一つのテーブルとして使用する一態様を示す概略的な斜視図である。
【図２】図２は、この考案になる茶道点前用立礼棚組合せ体のうち、点茶のための主立礼棚としての第１の立礼棚部材を示すものであって、図２Ａは、該第１の立礼棚部材の概略的な正面図、図２Ｂは、その平面図、図２Ｃは、その右側面図、図２Ｄは、その背面図、図２Ｅは、図２Ａにおける２Ｅ−２Ｅ線に沿って矢示方向に見た概略的な断面図である。
【図３】図３は、この考案になる茶道点前用立礼棚組合せ体のうち、炉部を備えた釜側用立礼棚としての第２の立礼棚部材を示すものであって、図３Ａは、該第２の立礼棚部材の概略的な正面図、図３Ｂは、その平面図、図３Ｃは、その右側面図、図３Ｄは、その背面図、図３Ｅは、図３Ａにおける３Ｅ−３Ｅ線に沿って矢示方向に見た概略的な断面図である。
【図４】図４は、この考案になる茶道点前用立礼棚組合せ体のうち、水差し等を載置する水屋側用立礼棚としての第３の立礼棚部材を示すものであって、図４Ａは、該第３の立礼棚部材の概略的な正面図、図４Ｂは、その平面図、図４Ｃは、その右側面図、図４Ｄは、その背面図、図４Ｅは、図４Ａにおける４Ｅ−４Ｅ線に沿って矢示方向に見た概略的な断面図である。
【符号の説明】
【００２２】
ＴＡ  茶道点前用立礼棚組合せ体
１  第１の立礼棚部材
２  第２の立礼棚部材
３  第３の立礼棚部材
４  第１の開口部
５  胴部
６  天板
７  底板
８  第１の収容部
９  第２の開口部
１０  胴部
１１  天板
１２  底板
１３  第２の収容部
１４  第３の開口部
１５  胴部
１６  天板
１７  底板
１８  水屋収容部
１９  炉部
２０  折り畳み式の棚体
２１  支受片
２２  差込片
２３  柄杓掛け
２４  少なくとも一段の棚体
【図１】
0003103677.tif 000003
【図２】
0003103677.tif 000004
【図３】
0003103677.tif 000005
【図４】
0003103677.tif 000006